(57)【要約】      （修正有）【課題】折られた記録媒体に対して断裁処理がなされる場合に、折り返された記録媒体が断裁により欠落するのを防ぐことができる記録媒体折り装置、画像形成装置、記録媒体処理システム及びプログラムを提供する。【解決手段】記録媒体折り装置は、予め定められた形状に断裁される記録媒体７０，７２，７４，７６の断裁形状に基づいて、予め定められた折り態様で折られる記録媒体の折り位置７８，８０を設定する折り位置設定部を有する。【選択図】図６
2014172671.tif 000002
【特許請求の範囲】
【請求項１】
予め定められた形状に断裁される記録媒体の断裁形状に基づいて、予め定められた折り態様で折られる記録媒体の折り位置を設定する折り位置設定手段
を有する記録媒体処理装置。
【請求項２】
前記折り位置設定手段により設定された折り位置で前記記録媒体を折る折り手段
をさらに有する請求項１記載の記録媒体処理装置。
【請求項３】
折り態様に応じた予め定められた折り位置で記録媒体を折る場合の折られた状態における折り位置が、断裁により切除される領域内であるか否かを判定する判定手段
をさらに有し、
前記折り位置設定手段は、前記判定手段により折り位置が断裁により切除される領域内であると判定された場合に、折り態様に応じた予め定められた折り位置を断裁形状に基づいて変更する
請求項２記載の記録媒体処理装置。
【請求項４】
前記折り位置設定手段により設定された記録媒体上の折り位置に折り目の印を印刷する印刷手段
をさらに有する請求項１記載の記録媒体処理装置。
【請求項５】
前記印刷手段は、記録媒体上の領域のうち断裁により切除される領域の折り位置に対して、折り目の印を印刷する
請求項４記載の記録媒体処理装置。
【請求項６】
画像形成装置と、記録媒体折り装置と、予め定められた厚さ以下の記録媒体の束を製本する製本装置とを有し、
前記記録媒体折り装置は、
予め定められた形状に断裁される記録媒体の断裁形状に基づいて、予め定められた折り態様で折られる記録媒体の折り位置を設定する折り位置設定手段と、
前記画像形成装置により画像が形成された記録媒体を、前記折り位置設定手段により設定された折り位置で折る折り手段と
を有し、
前記製本装置は、前記記録媒体折り装置により折られた記録媒体について前記断裁形状で断裁する断裁手段を
有する
記録媒体処理システム。
【請求項７】
前記製本装置は、前記記録媒体折り手段による記録媒体の折り回数に応じて算出された製本対象の記録媒体の束の厚さが予め定められた厚さ以下である場合に製本を行う
請求項６記載の記録媒体処理システム。
【請求項８】
予め定められた形状に断裁される記録媒体の断裁形状に基づいて、予め定められた折り態様で折られる記録媒体の折り位置を設定する折り位置設定ステップ
をコンピュータに実行させるプログラム。
【発明の詳細な説明】
【技術分野】
【０００１】
本発明は、記録媒体処理装置、記録媒体処理システム及びプログラムに関する。
【背景技術】
【０００２】
特許文献１は、印刷物にフィニッシュ・マークを結合するドライバ設定データを設定するインタフェース手段と、アプリケーションからドキュメント・データを受領して印刷イメージを作成する描画手段と、前記フィニッシュ・マークのイメージ・データと前記ドライバ設定データとを対応して登録するフィニッシュ・データ格納手段と、前記フィニッシュ・データ格納手段に格納された前記ドライバ設定データから前記フィニッシュ・マークを検索し、前記印刷イメージと検索された前記フィニッシュ・マークとを、前記ドライバ設定データを使用して結合し、結合印刷データを作成するデータ処理手段とを含む、画像処理装置について開示している。
【先行技術文献】
【特許文献】
【０００３】
【特許文献１】特開２００８−１９３６６９号公報
【発明の概要】
【発明が解決しようとする課題】
【０００４】
本発明の目的は、折られた記録媒体に対して断裁処理がなされる場合に、折り返された記録媒体が断裁により欠落するのを防ぐことができる記録媒体処理装置、記録媒体処理システム及びプログラムを提供することである。
【課題を解決するための手段】
【０００５】
請求項１に係る本発明は、予め定められた形状に断裁される記録媒体の断裁形状に基づいて、予め定められた折り態様で折られる記録媒体の折り位置を設定する折り位置設定手段を有する記録媒体処理装置である。
【０００６】
請求項２に係る本発明は、前記折り位置設定手段により設定された折り位置で前記記録媒体を折る折り手段をさらに有する請求項１記載の記録媒体処理装置である。
【０００７】
請求項３に係る本発明は、折り態様に応じた予め定められた折り位置で記録媒体を折る場合の折られた状態における折り位置が、断裁により切除される領域内であるか否かを判定する判定手段をさらに有し、前記折り位置設定手段は、前記判定手段により折り位置が断裁により切除される領域内であると判定された場合に、折り態様に応じた予め定められた折り位置を断裁形状に基づいて変更する請求項２記載の記録媒体処理装置である。
【０００８】
請求項４に係る本発明は、前記折り位置設定手段により設定された記録媒体上の折り位置に折り目の印を印刷する印刷手段をさらに有する請求項１記載の記録媒体処理装置である。
【０００９】
請求項５に係る本発明は、前記印刷手段は、記録媒体上の領域のうち断裁により切除される領域の折り位置に対して、折り目の印を印刷する請求項４記載の記録媒体処理装置である。
【００１０】
請求項６に係る本発明は、画像形成装置と、記録媒体折り装置と、予め定められた厚さ以下の記録媒体の束を製本する製本装置とを有し、前記記録媒体折り装置は、予め定められた形状に断裁される記録媒体の断裁形状に基づいて、予め定められた折り態様で折られる記録媒体の折り位置を設定する折り位置設定手段と、前記画像形成装置により画像が形成された記録媒体を、前記折り位置設定手段により設定された折り位置で折る折り手段とを有し、前記製本装置は、前記記録媒体折り装置により折られた記録媒体について前記断裁形状で断裁する断裁手段を有する記録媒体処理システムである。
【００１１】
請求項７に係る本発明は、前記製本装置は、前記記録媒体折り手段による記録媒体の折り回数に応じて算出された製本対象の記録媒体の束の厚さが予め定められた厚さ以下である場合に製本を行う請求項６記載の記録媒体処理システムである。
【００１２】
請求項８に係る本発明は、予め定められた形状に断裁される記録媒体の断裁形状に基づいて、予め定められた折り態様で折られる記録媒体の折り位置を設定する折り位置設定ステップをコンピュータに実行させるプログラムである。
【発明の効果】
【００１３】
請求項１に係る本発明によれば、折られた記録媒体に対して断裁処理がなされる場合に、折り返された記録媒体が断裁により欠落するのを防ぐことができる記録媒体処理装置を提供することができる。
【００１４】
請求項２に係る本発明によれば、請求項１に係る本発明の効果に加え、効率的に折ることができる記録媒体処理装置を提供することができる。
【００１５】
請求項３に係る本発明によれば、請求項２に係る本発明の効果に加え、予め定められた折り位置で折ったとしても断裁による欠落が生じない記録媒体について、折り位置が変更されるのを防ぐことができる記録媒体処理装置を提供することができる。
【００１６】
請求項４に係る本発明によれば、請求項１に係る本発明の効果に加え、手作業により折る場合の記録媒体の折り位置を示すことができる記録媒体処理装置を提供することができる。
【００１７】
請求項５に係る本発明によれば、請求項４に係る本発明の効果に加え、記録媒体に形成された画像の品質が、折り目の印刷により損なわれるのを防ぐことができる記録媒体処理装置を提供することができる。
【００１８】
請求項６に係る本発明によれば、折られた記録媒体に対して断裁処理がなされる場合に、折り返された記録媒体が断裁により欠落するのを防ぐことができる記録媒体処理システムを提供することができる。
【００１９】
請求項７に係る本発明によれば、請求項６に係る本発明の効果に加え、折られた記録媒体が製本対象に含まれる場合であっても、製本対象の厚さの許容範囲内で製本を行うことができる記録媒体処理システムを提供することができる。
【００２０】
請求項８に係る本発明によれば、折られた記録媒体に対して断裁処理がなされる場合に、折り返された記録媒体が断裁により欠落するのを防ぐことができるプログラムを提供することができる。
【図面の簡単な説明】
【００２１】
【図１】本発明の第１の実施形態に係る記録媒体処理システム２の模式図である。
【図２】製本装置８によりくるみ製本がなされた冊子の一例を示す斜視図である。
【図３】製本装置８により断裁される領域について例示する平面図である。
【図４】本実施形態の記録媒体処理システム２における画像形成装置４、記録媒体折り装置６及び製本装置８のハードウェア構成を示すブロック図である。
【図５】制御プログラムが実行されることにより実現される記録媒体折り装置６の機能構成を示すブロック図である。
【図６】折り位置設定部６２による折り位置の変更の一例について説明する模式図であり、（ａ）は、製本装置８による断裁処理の断裁対象の記録媒体群の一例を示す正面図であり、（ｂ）は、記録媒体群のうち用紙７４についてＺ折りをした場合の一例を示す正面図であり、（ｃ）は、予め定められた折り位置でＺ折りした場合の一例を示す平面図であり、（ｄ）は、折り位置を変更してＺ折りした場合の一例を示す平面図である。
【図７】Ｚ折りにおける変更後の折り位置の算出の一例を説明する模式図であり、（ａ）は、基準形状について示し、（ｂ）は、用紙７４の正面図を示しており、（ｃ）は、用紙７４の平面図を示している。
【図８】Ｚ折りにおける折り位置の変更において第１の折り位置７８の折り位置を変更し、第２の折り位置については変更しない場合について例示する模式図であり、（ａ）は、断裁対象の記録媒体群の一例を示す正面図であり、（ｂ）は、用紙７４についてＺ折りをした場合の一例を示す正面図であり、（ｃ）は、予め定められた折り位置でＺ折りした場合の一例を示す平面図であり、（ｄ）は、第１の折り位置７８についてだけ折り位置を変更してＺ折りした場合の一例を示す平面図である。
【図９】折り位置設定部６２による２つ折りの折り位置の変更について説明する模式図であり、（ａ）は、断裁対象の記録媒体群の一例を示す正面図であり、（ｂ）は、用紙８２について２つ折りをした場合の一例を示す正面図であり、（ｃ）は、予め定められた折り位置で２つ折りした場合の一例を示す平面図であり、（ｄ）は、折り位置を変更して２つ折りした場合の一例を示す平面図である。
【図１０】第１の実施形態に係る記録媒体処理システム２の動作の一例を示すフローチャートである。
【図１１】制御プログラムが実行されることにより実現される第２の実施形態の画像形成装置４の機能構成を示すブロック図である。
【図１２】折り目の印の印刷について説明する模式図であり、（ａ）は、本実施形態における折り目の印の印刷に対する比較例を示し、（ｂ）は、本実施形態における折り目の印の印刷の一例を示している。
【図１３】第２の実施形態に係る記録媒体処理システム２の動作の一例を示すフローチャートである。
【発明を実施するための形態】
【００２２】
以下、本発明の実施形態について図面を参照して詳細に説明する。
図１は、本発明の第１の実施形態に係る記録媒体処理システム２の模式図である。
【００２３】
本発明の一実施形態の記録媒体処理システム２は、記録媒体に対して処理を行う複数の記録媒体処理装置から構成されており、具体的には、図１に示されるように、画像形成装置４と、画像形成装置４に重連接続された後処理装置である記録媒体折り装置６及び製本装置８と、給紙装置１０と、端末装置１２とから構成されている。画像形成装置４と端末装置１２とは、ネットワーク１４により接続されている。
【００２４】
端末装置１２は、印刷データを生成して、ネットワーク１４経由にて生成した印刷データを画像形成装置４に対して送信する。給紙装置１０は、画像形成装置４に用紙などの記録媒体を供給する。画像形成装置４は、端末装置１２から送信された印刷データを受け付けて、印刷データに応じた画像を記録媒体上に出力する。また、画像形成装置４には、原稿から画像を読み取るスキャナなどの図示しない画像読取装置が設けられており、この画像読取装置に読み取れた画像も記録媒体上に出力する。なお、画像形成装置４は、端末装置１２から送信された印刷データの印刷に限らず、画像形成装置４に設けられた後述するＵＩ装置３８により生成された印刷データに応じた画像を印刷するよう構成してもよい。
【００２５】
記録媒体折り装置６は、指定された折り態様にしたがって、画像形成装置４により画像が形成された記録媒体に対して折り処理を行う機能を備えている。製本装置８は、画像形成装置４により画像が形成された記録媒体に対し、断裁処理を含む製本処理を行う機能を有している。
【００２６】
なお、本実施形態では、製本装置８は、予め定められた厚さ以下の記録媒体の束を製本し、製本処理としては、くるみ製本を行うものとして説明する。なお、予め定められた厚さは、例えば、後述する製本処理機構部５８が製本可能な厚さの上限値である。
【００２７】
図２は、製本装置８によりくるみ製本がなされた冊子の一例を示す斜視図である。
【００２８】
くるみ製本では、図２に示すように、冊子２０に含まれる記録媒体の束である中紙２２の一辺である背部２４に対して糊を塗布し、表紙２６を構成する記録媒体に接着する処理が行われる。また、本実施形態の製本装置８では、記録媒体の断裁処理も行う。
【００２９】
図３は、製本装置８により断裁される領域について例示する平面図である。くるみ製本では、第１の大きさの記録媒体により、第２の大きさの記録媒体の束をくるむようにして製本している。例えば、Ａ３サイズの表紙により、Ａ４サイズの中紙をくるむ場合のように、表紙が中紙の倍の大きさである場合、図３に示されるように、表紙２６は、中紙２２の全面を覆うことができない。このため、中紙２２は、表紙２６からはみ出してしまう。このような場合に、冊子２０の体裁を整えるために、図３に示す断裁領域２８の部分の記録媒体を断裁する処理を行う。
【００３０】
なお、断裁の幅は、予め定められた幅でもよいし、表紙に挟まれる中紙２２の厚みに基づいて定められた幅でもよい。また、図３に示した例では、表紙２６と中紙２２とが断裁される例を示しているが、中紙２２だけが断裁されてもよい。また、断裁処理は、中紙２２が表紙２６からはみ出るか否かにかかわらず行われてもよく、断裁箇所は、冊子２０における背部２４と対向する辺（小口）のみでなく、冊子の天地の辺において行ってもよい。
【００３１】
次に、本実施形態の記録媒体処理システム２における画像形成装置４、記録媒体折り装置６及び製本装置８のハードウェア構成を図４に示す。
【００３２】
画像形成装置４は、図４に示されるように、ＣＰＵ３０と、メモリ３２と、ハードディスクドライブ（ＨＤＤ）等の記憶装置３４と、ネットワーク１４を介して外部の装置等との間でデータの送信及び受信を行う通信インタフェース（ＩＦ）３６と、タッチパネル又は液晶ディスプレイ並びにキーボードを含むユーザインタフェース（ＵＩ）装置３８と、スキャナなどの画像読取装置４０と、プリントエンジン（印刷機構）４２とを有する。
【００３３】
ＣＰＵ３０は、メモリ３２または記憶装置３４に格納された制御プログラムに基づいて処理を実行して、画像形成装置４の動作を制御する。
【００３４】
なお、本実施形態では、ＣＰＵ３０は、メモリ３２または記憶装置３４内に格納された制御プログラムを読み出して実行するものとして説明したが、当該プログラムをＣＤ−ＲＯＭ等の記憶媒体に格納してＣＰＵ３０に提供することも可能である。
【００３５】
また、図４に示されるように、記録媒体折り装置６は、ＣＰＵ４４と、メモリ４６と、ハードディスクドライブ（ＨＤＤ）等の記憶装置４８と、折り処理機構部５０とを有する。
【００３６】
折り処理機構部５０は、画像形成装置４から搬送された記録媒体のうち、指定された記録媒体に対して指定された折り態様による折り処理を行う。なお、折り処理機構部５０は、画像形成装置４から搬送された記録媒体への折り処理のほか、図示しないトレイに置かれた記録媒体に対し、折り処理を行ってもよい。
【００３７】
ＣＰＵ４４は、メモリ４６または記憶装置４８に格納された制御プログラムに基づいて処理を実行して、記録媒体折り装置６の動作を制御する。
【００３８】
なお、本実施形態では、ＣＰＵ４４は、メモリ４６または記憶装置４８内に格納された制御プログラムを読み出して実行するものとして説明したが、当該プログラムをＣＤ−ＲＯＭ等の記憶媒体に格納してＣＰＵ４４に提供することも可能である。
【００３９】
また、図４に示されるように、製本装置８は、ＣＰＵ５２と、メモリ５４と、ハードディスクドライブ（ＨＤＤ）等の記憶装置５６と、製本処理機構部５８とを有する。
【００４０】
製本処理機構部５８は、記録媒体折り装置６から搬送された記録媒体に対して指定された製本処理を行う。本実施形態では、製本処理機構部５８は、上述のような断裁処理も行う。なお、製本処理機構部５８は、記録媒体折り装置６から搬送された記録媒体への折り処理のほか、図示しないトレイに置かれた記録媒体に対し、製本処理を行ってもよい。
【００４１】
ＣＰＵ５２は、メモリ５４または記憶装置５６に格納された制御プログラムに基づいて処理を実行して、製本装置８の動作を制御する。
【００４２】
なお、本実施形態では、ＣＰＵ５２は、メモリ５４または記憶装置５６内に格納された制御プログラムを読み出して実行するものとして説明したが、当該プログラムをＣＤ−ＲＯＭ等の記憶媒体に格納してＣＰＵ５２に提供することも可能である。
【００４３】
次に、記録媒体折り装置６の詳細について説明する。
図５は、制御プログラムが実行されることにより実現される記録媒体折り装置６の機能構成を示すブロック図である。なお、図５に示される構成の一部又は全ては、ＡＳＩＣ，ＦＰＧＡなどのハードウェアにより実現されてもよい。
【００４４】
図５に示すように、記録媒体折り装置６は、設定情報取得部６０と、折り位置設定部６２と、判定部６４と、折り部６６とを有する。
【００４５】
設定情報取得部６０は、製本装置８による断裁処理における断裁形状についての情報を取得する。断裁処理では、例えばＡ４サイズなどの予め定められた大きさの形状に対し、指定された断裁形状で断裁が行われる。以下、断裁処理の際の断裁対象である、この予め定められた大きさの形状について、基準形状ということがある。ここで、断裁形状についての情報は、断裁形状を特定する情報であればよく、基準形状に対する断裁幅の情報であってもよいし、仕上がりサイズ（基準形状のうち、断裁時に、切除されずに残る形状の大きさ）の情報であってもよい。例えば、Ａ４サイズの形状の端部からの断裁幅の情報であってもよいし、Ａ４サイズの形状のうちの仕上がりサイズの情報であってもよい。
【００４６】
また、設定情報取得部６０は、画像形成装置４から搬送される各記録媒体のうちいずれが折り対象の記録媒体であるかを示す情報を取得してもよい。
【００４７】
なお、設定情報取得部６０は、端末装置１２から情報を取得してもよいし、ＵＩ装置３８からの入力から情報を取得してもよい。
【００４８】
折り位置設定部６２は、設定情報取得部６０が取得した断裁形状に基づいて、記録媒体の折り位置を設定する。具体的には、折り位置設定部６２は、基準形状に対する断裁形状に基づいて、予め定められた折り態様（例えば、Ｚ折り）により記録媒体が折られた状態における基準形状上の折り位置を、記録媒体上のこの断裁形状での断裁により切除されない位置へと変更する。
【００４９】
本実施形態では、折り位置設定部６２は、後述する判定部６４による判定により、折り位置の変更が不要であると判定された場合には、折り態様に応じた予め定められた折り位置で記録媒体を折るよう後述する折り部６６へ指示する。一方、折り位置設定部６２は、後述する判定部６４による判定により、折り位置の変更が必要であると判定された場合には、折り態様に応じた予め定められた折り位置を断裁形状に基づいて変更し、変更された折り位置で折るよう折り部６６へ指示する。
【００５０】
判定部６４は、折り態様に応じた予め定められた折り位置を変更する必要があるか否かを判定する。具体的には、判定部６４は、折り態様に応じた予め定められた折り位置で記録媒体を折る場合の折られた状態における折り位置が、断裁により切除される領域内であるか否かを判定する。折り位置が、断裁により切除される領域に位置している場合には、予め定められた折り位置を変更する必要がある。一方、折り位置が、断裁により切除されない領域に位置している場合には、予め定められた折り位置を変更する必要はない。
【００５１】
折り部６６は、折り位置設定部６２により設定された折り位置で記録媒体を折るよう、折り処理機構部５０を制御する。なお、本実施形態では、折り部６６は、記録媒体について、Ｚ折り（片袖折り）を行う。折り部６６は、判定部６４により折り態様に応じた予め定められた折り位置を変更する必要がないと判定された場合には、例えば、Ａ３サイズの記録媒体に対し、Ｚ折りに対応した予め定められた折り位置で折る。一方、折り部６６は、判定部６４により折り態様に応じた予め定められた折り位置を変更する必要があると判定された場合には、例えば、Ａ３サイズの記録媒体に対し、Ｚ折りに対応した予め定められた折り位置では折らず、折り位置設定部６２により変更された折り位置で折る。なお、折り部６６は、Ｚ折り（片袖折り）に限らず、２つ折り等の折り態様の折りを行うよう構成してもよい。
【００５２】
図６は、折り位置設定部６２による折り位置の変更の一例について説明する模式図である。図６（ａ）は、製本装置８による断裁処理の断裁対象の記録媒体群の一例を示す正面図であり、図６（ｂ）は、記録媒体群のうち用紙７４についてＺ折りをした場合の一例を示す正面図であり、図６（ｃ）は、予め定められた折り位置でＺ折りした場合の一例を示す平面図であり、図６（ｄ）は、折り位置を変更してＺ折りした場合の一例を示す平面図である。
【００５３】
図６（ａ）及び（ｂ）に示すように、ここでは、用紙７０〜７６のうち、用紙７４について、Ｚ折りがなされる場合を例にしている。なお、用紙７０〜７６については、各用紙の図中の左側の辺でまとめて綴じられるものとする。また、図６（ｃ）及び（ｄ）に示すように、ここでは、用紙７４は、用紙の右側を左側へと折りこむように、Ｚ折りがなされるものとする。
【００５４】
図６（ｃ）に示すように、用紙７４は、予め定められた第１の折り位置７８（図６に示す例では、用紙７４の横方向の長さの半分の位置）で谷折りがなされ、予め定められた第２の折り位置８０（図６に示す例では、用紙７４の右端から横方向の長さの４分の１の位置）で谷折りがなされている。
【００５５】
この場合、図６（ｃ）に示される断裁位置にて用紙７４が断裁されると、第１の折り位置７８が断裁により切除される領域に含まれているため、用紙７４は、分離され、欠落してしまう。
【００５６】
このように、折り態様に応じた予め定められた折り位置で記録媒体を折る場合の折られた状態における折り位置が、断裁により切除される領域内である場合には、判定部６４が、折り位置の変更が必要と判定し、折り位置設定部６２による折り位置の変更が行われる。
【００５７】
折り位置設定部６２は、図６（ｄ）に示すように、第１の折り位置７８を断裁により切除されない位置へと変更する。
【００５８】
図７は、Ｚ折りにおける変更後の折り位置の算出の一例を説明する模式図である。図７（ａ）は、断裁処理の対象である基準形状（例えば、Ａ４サイズの形状）について示しており、ハッチングされた領域が、基準形状中の断裁領域を示している。ここでは、基準形状は、横の長さがＸ１、縦の長さがＹであり、基準形状の三辺から各々幅Ｄが断裁領域として設定されている。
【００５９】
図７（ｂ）及び図７（ｃ）は、折り部６６によりＺ折りがなされる図６に示した例えばＡ３サイズの用紙７４を示している。図７（ｂ）では、用紙７４の正面図を示しており、図中の一点鎖線は、折り位置設定部６２により折り態様に応じた予め定められた折り位置が変更された場合の変更後の折り位置（第１の折り位置７８及び第２の折り位置８０）を示している。また、図中のハッチング領域は、用紙７４がＺ折りされた状態で、図７（ａ）に示した断裁が行われた場合に、切除される領域を示している。また、図７（ｃ）では、用紙７４の平面図を示している。
【００６０】
なお、図７（ｂ）及び図７（ｃ）では、用紙７４の横の長さをＸ２とし、縦の長さを基準形状と同様にＹとし、用紙７４の左端から第１の折り位置７８までの長さをＦ１とし、用紙７４の左端から第２の折り位置８０までの長さをＦ２としている。
【００６１】
ここで、折り位置設定部６２は、予め定められた折り位置に対する変更後の折り位置として、例えば、次のようにＦ１及びＦ２を設定する。
【００６２】
まず、図７（ａ）に示すように、横方向の仕上がりサイズは、Ｘ１−Ｄとなる。このため、Ｆ１は、Ｘ１−Ｄ以下とする必要があり、例えば、余裕分として長さｄをとり、Ｆ１＝Ｘ１−Ｄ−ｄと設定する。なお、長さｄは、断裁の精度などに基づき定められてもよい。
【００６３】
また、用紙７４において切除されない横方向の長さはＸ２−Ｄであり、このうち、Ｆ１を除く残りの長さは、Ｘ２−Ｄ−Ｆ１である。この長さから、上記と同様、余裕分として長さｄをとり、２等分した位置を第２の折り位置８０とする。これにより、Ｆ２＝Ｆ１＋（Ｘ２−Ｄ−Ｆ１−ｄ）／２と設定する。
【００６４】
なお、図７では、基準形状の三辺を断裁する例を示したが１辺（例えば小口）のみの断裁であってもよい。
【００６５】
また、折り位置設定部６２は、折り態様に応じた予め定められた折り位置を変更する場合、変更後の折り位置を図７に示すように、折り態様ごとに予め定められた演算により変更後の折り位置を算出してもよいし、予め定められたテーブルに格納された変更後の折り位置を読み出して折り位置を設定してもよい。
【００６６】
また、図７に示した例では、折り位置設定部６２は、Ｚ折りの第１の折り位置７８及び第２の折り位置８０いずれについても折り位置を変更しているが、折り位置設定部６２は、記録媒体上の断裁により切除されない位置へと折り位置を変更すればよく、図８に示すように、第１の折り位置７８のみの折り位置を変更するようにしてもよい。
【００６７】
図８は、Ｚ折りにおける折り位置の変更において第１の折り位置７８の折り位置を変更し、第２の折り位置８０については変更しない場合について例示する模式図である。図８（ａ）は、図６（ａ）と同様、断裁対象の記録媒体群の一例を示す正面図であり、図８（ｂ）は、図６（ｂ）と同様、用紙７４についてＺ折りをした場合の一例を示す正面図であり、図８（ｃ）は、図６（ｃ）と同様、予め定められた折り位置でＺ折りした場合の一例を示す平面図であり、図８（ｄ）は、第１の折り位置７８についてだけ折り位置を変更してＺ折りした場合の一例を示す平面図である。
【００６８】
また、以上の説明では、折り位置設定部６２が、Ｚ折りについての折り位置を設定する場合について説明したが、折り位置設定部６２は、Ｚ折りに限らず、他の折り態様についての折り位置を設定してもよい。
【００６９】
例えば、図９に示すように、折り位置設定部６２は、２つ折りについての折り位置を設定してもよい。
【００７０】
図９は、折り位置設定部６２による２つ折りの折り位置の変更について説明する模式図である。図９（ａ）は、図６（ａ）と同様、断裁対象の記録媒体群の一例を示す正面図であり、図９（ｂ）は、用紙８２について２つ折りをした場合の一例を示す正面図であり、図９（ｃ）は、予め定められた折り位置で２つ折りした場合の一例を示す平面図であり、図９（ｄ）は、折り位置を変更して２つ折りした場合の一例を示す平面図である。
【００７１】
図９（ａ）及び図９（ｂ）に示すように、ここでは、用紙８２について、２つ折りがなされる場合を例にしている。なお、図示した各用紙については、図中の左側の辺でまとめて綴じられるものとする。また、図９（ｃ）及び図９（ｄ）に示すように、ここでは、用紙８２は、用紙の右側を左側へと折り畳むよう２つ折りがなされるものとする。
【００７２】
図９（ｃ）に示すように、用紙８２は、予め定められた折り位置８４（図９に示す例では、他の用紙の横方向の長さに揃う位置）で谷折りがなされている。
【００７３】
この場合、図９（ｃ）に示される断裁位置にて用紙８２が断裁されると、折り位置８４が断裁により切除される領域に含まれているため、折り位置設定部６２は、図９（ｄ）に示すように、折り位置８４を断裁により切除されない位置へと変更する。
【００７４】
図１０は、第１の実施形態に係る記録媒体処理システム２の動作の一例を示すフローチャートである。
【００７５】
ステップ１００（Ｓ１００）において、記録媒体処理システム２は、印刷データ及び設定情報の入力を受付ける。ここで、設定情報には、設定情報取得部６０が取得する上述の情報のほか、使用する記録媒体の厚さの情報などの情報も含まれる。
【００７６】
ステップ１０２（Ｓ１０２）において、記録媒体処理システム２は、ステップ１００で受付けた情報から、製本装置８による製本可能な厚さの上限を超えるか否かを判定する。ここで、製本装置８は、記録媒体の折り回数に応じて算出された製本対象の記録媒体の束の厚さが予め定められた厚さ以下である場合に製本を行う。例えば、記録媒体折り装置６によりＺ折りがなされる場合、記録媒体に対し２つの折り返しがなされ、３枚分の厚みとなる。この場合、Ｚ折りがなされる記録媒体については、３枚分の厚みとして、厚みを計算し、製本対象の記録媒体群の厚みが予め定められた厚さ以下であるか否かを判定する。予め定められた厚さを超える場合は、ステップ１０４へ移行し、予め定められた厚さ以下の場合は、ステップ１０６へ移行する。
【００７７】
ステップ１０４（Ｓ１０４）では、製本装置８による製本に対応できない旨の警告をＵＩ装置３８に表示し、終了する。
【００７８】
一方、ステップ１０６（Ｓ１０６）では、ステップ１００で受付けた印刷データに基づいて、画像形成装置４が、記録媒体である用紙に画像を形成する。画像が形成された用紙は、記録媒体折り装置６に搬送される。
【００７９】
ステップ１０８（Ｓ１０８）において、記録媒体折り装置６は、ステップ１０６で印刷された用紙について、折り処理の対象であるか否かを判定する。折り処理の対象である記録媒体に対しては、ステップ１１０へ移行し、折り処理の対象ではない用紙に対しては、ステップ１１８へ移行する。
【００８０】
ステップ１１０（Ｓ１１０）において、折り位置設定部６２は、指定された折り態様における予め定められた折り位置を取得する。例えば、折り位置設定部６２は、折り態様ごとの予め定められた折り位置が格納されたテーブルから読み出して折り位置を取得する。
【００８１】
ステップ１１２（Ｓ１１２）において、判定部６４は、折り態様に応じた予め定められた折り位置で記録媒体を折る場合の折られた状態における折り位置が、断裁により切除される領域内であるか否かを判定する。折り位置が、断裁により切除される領域内である場合には、ステップ１１４へ移行し、断裁により切除される領域内ではない場合には、予め定められた折り位置で折るよう折り部６６へ指示してステップ１１６へ移行する。
【００８２】
ステップ１１４（Ｓ１１４）において、折り位置設定部６２は、断裁形状に基づいて折り位置を変更し、折り位置設定部６２は、変更された折り位置で折るよう折り部６６へ指示する。
【００８３】
ステップ１１６（Ｓ１１６）において、折り部６６は、折り位置設定部６２により設定された折り位置で記録媒体を折るよう、折り処理機構部５０を制御する。
【００８４】
ステップ１１８（Ｓ１１８）において、画像を他の用紙にさらに形成する必要があるか否かが判定され、必要がある場合には、ステップ１０８へと戻り、上記処理を繰り返す。一方、製本対象の用紙への折り処理が終了した場合には、ステップ１２０へ移行する。
【００８５】
ステップ１２０（Ｓ１２０）では、製本装置８により製本対象の用紙の束を綴じる処理が行われる。例えば、製本装置８は、くるみ綴じで製本対象の用紙の束を綴じる。
ステップ１２２（Ｓ１２２）において、製本装置８は、ステップ１２０で綴じた用紙の束に対し、断裁処理を行う。
【００８６】
以上の実施形態では、記録媒体折り装置６の構成として判定部６４を設けた例について説明したが、判定部６４は、画像形成装置４の構成として設けられていてもよい。また、以上の実施形態では、折り位置設定部６２が折り位置を決定し、決定した折り位置で折るよう折り部６６に指示する構成について説明したが、折り位置の決定については画像形成装置４の機能として実現されてもよい。この場合、例えば、画像形成装置４において、折り態様に応じた予め定められた折り位置を変更する必要があるか否かが判定され、さらに、この判定に従って折り位置が決定され、一方、記録媒体折り装置６では、この決定された折り位置について設定情報取得部６０を介して取得し、折り位置設定部６２が、取得した折り位置で折るよう折り部６６に指示するよう構成してもよい。このように、折り位置設定部６２は、記録媒体折り装置６の折り位置を設定する機能を有していればよく、折り位置自体については折り位置設定部６２が決定しなくてもよい。
【００８７】
次に、本発明の第２の実施形態について説明する。第１の実施形態では、記録媒体は、記録媒体折り装置６により折り処理がなされた。第２の実施形態では、記録媒体が、使用者の手作業で折られる点で第１の実施形態とは異なる。第２の実施形態では、画像形成装置４が、折り対象の記録媒体に対し、折り目を示す印を印刷する。
【００８８】
図１１は、制御プログラムが実行されることにより実現される第２の実施形態の画像形成装置４の機能構成を示すブロック図である。なお、図１１に示される構成の一部又は全ては、ＡＳＩＣ，ＦＰＧＡなどのハードウェアにより実現されてもよい。
【００８９】
図１１に示すように、画像形成装置４は、印刷データ受付部９０と、設定情報取得部９２と、折り位置設定部９４と、判定部９６と、折り目合成部９８と、印刷部１００とを有する。
【００９０】
印刷データ受付部９０は、端末装置１２又は画像読取装置４０から印刷データを受付ける。
【００９１】
設定情報取得部９２は、第１の実施形態の設定情報取得部６０と同様、製本装置８による断裁処理における断裁形状についての情報を取得する。また、設定情報取得部９２は、印刷データにより画像が形成される各画像のうち、いずれが折り対象の画像であるかを示す情報を取得する。
【００９２】
折り位置設定部９４は、第１の実施形態の折り位置設定部６２と同様、設定情報取得部９２が取得した断裁形状に基づいて、記録媒体の折り位置を設定する。
【００９３】
判定部９６は、第１の実施形態の判定部６４と同様、折り態様に応じた予め定められた折り位置を変更する必要があるか否かを判定する。
【００９４】
折り目合成部９８は、印刷データにより画像が印刷される各画像のうち折り対象の画像に対し、折り目の印画像を合成する。ここで、折り目合成部９８は、折り位置設定部９４により設定された記録媒体の折り位置に対応した画像上の位置に折り目の印画像を合成する。
【００９５】
また、本実施形態では、折り目合成部９８は、記録媒体上の領域のうち断裁により切除される領域の折り位置に対して、折り目の印が印刷されるよう折り目の印画像を合成し、断裁により切除されない領域については、折り目の印が印刷されるようにする。
【００９６】
印刷部１００は、折り対象の画像については、折り目合成部９８により合成された画像を記録媒体に印刷する。具体的には、印刷部１００は、折り対象の画像が印刷される記録媒体について、折り位置設定部９４により設定された記録媒体上の折り位置に折り目の印を印刷する。また、本実施形態では、上記の通り、印刷部１００は、記録媒体上の領域のうち断裁により切除される領域の折り位置に対して折り目の印を印刷し、記録媒体上の領域のうち断裁により切除されない領域の折り位置に対しては折り目の印を印刷しない。また、印刷部１００は、折り対象ではない画像については、印刷データにより指示された画像を記録媒体に印刷する。
【００９７】
図１２は、折り目の印の印刷について説明する模式図であり、図１２（ａ）は、本実施形態における折り目の印の印刷に対する比較例を示し、図１２（ｂ）は、本実施形態における折り目の印の印刷の一例を示している。ここで、図中のハッチング領域は、記録媒体上の領域のうち断裁により切除される領域を示している。図１２（ｂ）に示すように、本実施形態では、記録媒体上の領域のうち断裁により切除されない領域の折り位置に対しては折り目の印（図中の点線）を印刷しない。
【００９８】
図１３は、第２の実施形態に係る記録媒体処理システム２の動作の一例を示すフローチャートである。なお、本実施形態では、記録媒体折り装置６を用いず、画像形成装置４により画像が形成された記録用紙について手作業で折り処理を行い、その後、製本装置８に記録媒体の束が投入され製本装置８による製本がなされる。以下、フローチャートの説明において、ステップ１００からステップ１０４については、図１０と同様であるため、説明を割愛する。
【００９９】
ステップ２００（Ｓ２００）において、画像形成装置４は、印刷データにより印刷が指示された各画像について、折り対象の画像であるか否かを判定する。折り対象の画像に対しては、ステップ２０２へ移行し、折り対象の画像ではない場合には、ステップ２１０へ移行する。
【０１００】
ステップ２０２（Ｓ２０２）において、折り位置設定部９４は、指定された折り態様における予め定められた折り位置を取得する。
【０１０１】
ステップ２０４（Ｓ２０４）において、判定部９６は、折り態様に応じた予め定められた折り位置で記録媒体を折る場合の折られた状態における折り位置が、断裁により切除される領域内であるか否かを判定する。折り位置が、断裁により切除される領域内である場合には、ステップ２０６へ移行し、断裁により切除される領域内ではない場合には、予め定められた折り位置に対応する画像上の位置に折り目印を合成するよう折り目合成部９８に指示してステップ２０８へ移行する。
【０１０２】
ステップ２０６（Ｓ２０６）において、折り位置設定部６２は、断裁形状に基づいて折り位置を変更し、折り位置設定部６２は、変更された折り位置に対応する画像上の位置に折り目印を合成するよう折り目合成部９８に指示する。
【０１０３】
ステップ２０８（Ｓ２０８）において、折り目合成部９８は、折り目の印画像を印刷データにより印刷が指示された画像に合成する。
【０１０４】
ステップ２１０（Ｓ２１０）において、印刷部１００は、折り対象の画像については、折り目合成部９８により合成された画像を記録媒体に印刷し、折り対象ではない画像については、印刷データにより指示された画像を記録媒体に印刷する。
【０１０５】
ステップ２１２（Ｓ２１２）において、印刷データにより印刷が指示された他の画像があるかが判定され、他の画像がある場合には、ステップ２００へと戻り、上記処理を繰り返す。一方、他の画像がない場合には、ステップ２１４へ移行する。
【０１０６】
ステップ２１４（Ｓ２１４）において、使用者は、折り目の印を参考にして手作業で記録媒体を折り、製本装置８に投入する。その後、ステップ１２０で、製本装置８による綴じ処理がなされ、ステップ１２２で、製本装置８により断裁処理がなされる。
【符号の説明】
【０１０７】
２        ：記録媒体処理システム
４        ：画像形成装置
６        ：記録媒体折り装置
８        ：製本装置
１０      ：給紙装置
１２      ：端末装置
１４      ：ネットワーク
５０      ：折り処理機構部
５８      ：製本処理機構部
６０      ：設定情報取得部
６２      ：折り位置設定部
６４      ：判定部
６６      ：折り部
９０      ：印刷データ受付部
９２      ：設定情報取得部
９４      ：折り位置設定部
９６      ：判定部
９８      ：折り目合成部
１００    ：印刷部
【図１】
2014172671.tif 000003
【図２】
2014172671.tif 000004
【図３】
2014172671.tif 000005
【図４】
2014172671.tif 000006
【図５】
2014172671.tif 000007
【図６】
2014172671.tif 000008
【図７】
2014172671.tif 000009
【図８】
2014172671.tif 000010
【図９】
2014172671.tif 000011
【図１０】
2014172671.tif 000012
【図１１】
2014172671.tif 000013
【図１２】
2014172671.tif 000014
【図１３】
2014172671.tif 000015